(57)【要約】  【課題】  移動局（タクシー）において、少ないボタンで且つ簡単な操作で複数の連絡事項の中から該当事項を選択することが可能な無線通信システムを提供する。  【解決手段】  基地局および複数の移動局を備える無線移動通信システムにおいて、移動局は、その操作表示器に連絡ボタンを備え、連絡ボタンを押すたびに表示される，異なる連絡事項の中から該当事項を選択し、選択した該当事項を基地局に送信することを特徴とする。【選択図】  図１
2006129119.tif 000002
【特許請求の範囲】
【請求項１】
基地局および複数の移動局を備える無線移動通信システムにおいて、前記移動局は、その操作表示器に連絡ボタンを備え、該連絡ボタンを押すたびに表示される，異なる連絡事項の中から該当事項を選択し、選択した該当事項を前記基地局に送信することを特徴とする無線通信システム。
【発明の詳細な説明】
【技術分野】
【０００１】
本発明は、例えば業務用無線によるタクシー配車用ＡＶＭ（Ａｕｔｏｍａｔｉｃ  Ｖｅｈｉｃｌｅ  Ｍｏｎｉｔｏｒｉｎｇ）システム等の無線通信システムに関わり、特に、操作の改良技術に関するものである。
【背景技術】
【０００２】
従来のタクシー配車用ＡＶＭシステム等の無線通信システムでは、移動局である移動局（タクシー）の現在位置を、ＧＰＳ（Ｇｌｏｂａｌ  Ｐｏｓｉｔｉｏｎｉｎｇ  Ｓｙｓｔｅｍ）により移動局自身が検出して記憶している。
【０００３】
そして、各移動局（タクシー）は基地局との間で位置動態情報を基地局からの定期的なポーリング信号に従い、移動局（タクシー）へ移動局（タクシー）番号毎に割り当てられた専用の送信スロットで返送する。基地局では全移動局（タクシー）を順にポーリングを行い、全ての移動局（タクシー）の位置動態情報を把握する。
【０００４】
基地局は少なくとも１つあって、管理センタに接続されており、管理センタでは移動局（タクシー）顧客からの要求に従い、移動局（タクシー）の位置動態情報から最適移動局（タクシー）検索を行って移動局（タクシー）の配車を行う。
【０００５】
このようなタクシー配車用ＡＶＭシステム等の無線通信システムは、例えば特許文献１に記載されている。
【０００６】
【特許文献１】特開２００３−９２１３号公報
【発明の開示】
【発明が解決しようとする課題】
【０００７】
ここで、移動局（タクシー）から基地局へ連絡事項を送信する場合について考える。
【０００８】
従来の技術では、操作表示器の複数のひとつひとつのボタンに各種連絡事項を登録しておき、ボタンを押すことで該当する情報を選択していた。しかしながらこの操作では、連絡事項の数が多い場合にボタン数を多くする必要があり、移動局（タクシー）の操作スペースが大きくなる課題があった。
【０００９】
また複数のボタンの組み合わせにて各種連絡事項の選択を行うのもあるが、操作が複雑になる課題があった。
【００１０】
本発明の目的は、移動局（タクシー）において、少ないボタンで且つ簡単な操作で複数の連絡事項の中から該当事項を選択することが可能な無線通信システムを提供することにある。
【課題を解決するための手段】
【００１１】
本発明は、上記目的を達成するため、前記移動局は、その操作表示器に連絡ボタンを備え、該連絡ボタンを押すたびに表示される，異なる連絡事項の中から該当事項を選択し、選択した該当事項を前記基地局に送信することを特徴とする。
【発明の効果】
【００１２】
本発明によれば、移動局（タクシー）において、少ないボタンで且つ簡単な操作で複数の連絡事項の中から該当事項を選択することが可能な無線通信システムを得ることができる。
【発明を実施するための最良の形態】
【００１３】
以下に本発明の実施形態について図面を用いて説明する。
【００１４】
図１は本発明の実施の形態に係る無線通信システムの概念を示す図であり、ＧＰＳを利用したタクシー配車用ＡＶＭシステムの概念を示す図である。
【００１５】
図１において、タクシー配車用ＡＶＭシステムは、基地局１１，１２，１３と、基地局１１のカバーエリア内の移動局２１，２２，２３，２４と、管理センタ２５と、ＧＰＳ２６とで構成されている。
【００１６】
ＧＰＳ２６による移動局自身の位置検出や、基地局１１を介した管理センタ２５と各移動局とのデータの送受信そのものは従来と同様であり、基地局１１は、各移動局２１，２２，２３，２４にポーリング信号の送信Ｐ１を行い、基地局カバーエリア内の各移動局２１，２２，２３，２４からのポーリング信号の返信Ｐ２１，Ｐ２２，Ｐ２３，Ｐ２４により、各移動局２１，２２，２３，２４の位置動態情報を、管理センタ２５からの指定された移動局番号により、移動局番号の順番にデータを収集するポーリング方式によるデータ収集を行う。
【００１７】
ポーリング方式によるデータ収集のための基地局と移動局間の業務用無線通信方式の例として、高速のデジタルＳＣＰＣ（Ｓｉｎｇｌｅ  Ｃｈａｎｎｅｌ  Ｐｅｒ  Ｃａｒｒｉｅｒ）方式を使用する。
【００１８】
上述のような構成で、移動局（タクシー）が複数の業務連絡事項から該当事項を選択する様子を、次に説明する。
【００１９】
図２は本発明の実施の形態での移動局（タクシー）の機器構成を示す図であり、特に高速のデジタルＳＣＰＣ方式の業務用無線で構成した移動局（タクシー）の機器構成を示す図である。図２において、２１０は無線アンテナ、２２０はデジタル無線機、２３０は操作表示器、２４０はカーナビ装置、２５０はＧＰＳアンテナである。エンジンキーをイグニッションＯＮとすることで、デジタル無線機２２０，操作表示器２３０，カーナビ装置２４０の電源がＯＮとなる。
【００２０】
無線アンテナ２１０で、管理センタから送信される業務連絡メッセージを受信し、デジタル無線機２２０で、業務連絡メッセージの内容を検出し、操作表示器２３０の表示部に表示する。またＧＰＳアンテナ２５０にて受信した位置情報を、カーナビ装置２４０に供給して地図上に自移動局の位置を重畳し、操作表示器２３０の表示部に表示する。操作表示器２３０の操作部の操作により、業務連絡メッセージを表示したり、自移動局の位置を重畳した地図を表示することができる。
【００２１】
図３は図２の操作表示器２３０の例を示す図である。図３において、操作表示器２３０はボタン操作のための操作部２３１と表示部２３２を有する。操作部２３１は「連絡」ボタンなどを備える。
【００２２】
図４は図３の操作表示器２３０の「連絡」ボタンを押すたびに、表示部２３２に表示される，異なる連絡事項の内容の例を示す図である。
【００２３】
「連絡」ボタンを押すと、４０１として「付け場所不明」を表示する。「連絡」ボタンを押すと、次に４０２として「到着報告」を表示する。「連絡」ボタンを押すと、次に４０３として「お客様不在」を表示する。「連絡」ボタンを押すと、次に４０４として「到着遅れ」を表示する。「連絡」ボタンを押すと、次に４０５として「進行連絡」を表示する。「連絡」ボタンを押すと、次に４０６として「代車要請」を表示する。「連絡」ボタンを押すと、次に４０７として「通話要請」を表示する。
【００２４】
また、図３の操作表示器２３０の「△」ボタンを押すと、現在表示より１つ前の連絡事項を表示し、「▽」ボタンを押すと、現在表示より１つ後の連絡事項を表示する。
【００２５】
図５は「付け場所不明」の場合の，図３の操作表示器２３０の表示部２３２に表示される，異なる連絡事項の内容の例を示す図である。
【００２６】
（ａ）の５０１は「連絡」ボタンを押したときの付け場所不明要求確認画面の例を示す図である。「連絡」ボタン又は「▽」ボタンを押すと、次の連絡内容を表示する。「△」ボタンを押すと、現在表示より１つ前の連絡事項を表示する。「設定」ボタンを押すと、管理センタへ付け場所不明を送信し、付け場所不明要求画面を表示する。本画面にて一定時間操作がない場合、または「取消」ボタンを押すと、元の画面に戻る。
【００２７】
（ｂ）の５０２は付け場所不明要求画面の例を示す図である。表示の「要求中」の文字は点滅表示する。管理センタから付け場所不明受信応答信号を受信した場合、付け場所不明完了登録画面を表示する。一定時間、付け場所不明受信応答信号を受信しなかった場合、付け場所不明登録失敗画面を表示する。
【００２８】
（ｃ）の５０３は付け場所不明登録完了画面の例を示す図である。登録が完了すると、ブザー音が鳴動し、管理センタで受け付けた旨を表示する。一定時間経過後、または「取消」ボタンを押すと、ブザー音が停止し、通常画面を表示する。
【００２９】
（ｄ）の５０４は付け場所不明登録失敗画面の例を示す図である。付け場所不明登録失敗を表示するとともに、ブザー音が鳴動する。「取消」ボタンを押すと、ブザー音が停止し、通常画面を表示する。
【００３０】
本実施の形態によれば、移動局（タクシー）において、少ないボタンで且つ簡単な操作で複数の連絡事項の中から該当事項を選択することが可能な無線通信システムを得ることができる。
【図面の簡単な説明】
【００３１】
【図１】本発明の実施の形態に係る無線通信システムの概念を示す図であり、ＧＰＳを利用したタクシー配車用ＡＶＭシステムの概念を示す図である。
【図２】本発明の実施の形態での移動局（タクシー）の機器構成を示す図であり、特に高速のデジタルＳＣＰＣ方式の業務用無線で構成した移動局（タクシー）の機器構成を示す図である。
【図３】図２の操作表示器の例を示す図である。
【図４】図３の操作表示器の「連絡」ボタンを押すたびに、表示部に表示される，異なる連絡事項の内容の例を示す図である。
【図５】「付け場所不明」の場合の，図３の操作表示器の表示部に表示される，異なる連絡事項の内容の例を示す図である。
【符号の説明】
【００３２】
１１，１２，１３…基地局、２１，２２，２３，２４…移動局、２５…管理センタ、２６…ＧＰＳ、Ｐ１…ポーリング信号の送信、Ｐ２１，Ｐ２２，Ｐ２３，Ｐ２４…ポーリング信号の返信、２１０…無線アンテナ、２２０…デジタル無線機、２３０…操作表示器、２３１…操作部、２３２…表示部、２４０…カーナビ装置、２５０…ＧＰＳアンテナ、４０１〜４０７，５０１〜５０４…異なる連絡事項。
【図１】
2006129119.tif 000003
【図２】
2006129119.tif 000004
【図３】
2006129119.tif 000005
【図４】
2006129119.tif 000006
【図５】
2006129119.tif 000007